(57)【要約】  本発明は機能性履物に関し、より詳しくは、歩行の時、体重による衝撃を吸収して緩和させて、足首と膝関節を保護するとともに、興味を誘発させて楽しく歩くようにし、磁界によって血液の循環を促進させて健康の増進に大きく寄与することができる機能性履物に関する。本発明の機能性履物によれば、歩行の時、作動部材の緩衝装置が衝撃を吸収して緩和させ、該吸収緩和作動を利用する第１アーム、第２アーム及び第２磁石によって第１磁石が備えられた震動板が斥力によって自動的に震動するので、着用者の興味を誘発させて楽しく歩くようにし、特に、震動板の末端に備えられた第１磁石で発生される磁界が着用者の足裏のツボを刺激して、血液の循環を促進するので、健康の増進に大きく寄与する効果を図ることができる。
2010525918.tif 000002
【特許請求の範囲】
【請求項１】
甲皮部とソール部とで構成される機能性履物において、
前記ソール部の踵部と中間部には、連結通路を通じて連通された第１装着室と第２装着室とがそれぞれ形成され、前記ソール部の第１装着室及び第２装着室には歩行による衝撃を吸収するとともに、別途に電源を供給しなくても単純な歩行動作を駆動源として、磁界の斥力によって震動板が震動及び磁界を発生することができるように構成された震動手段が備えられることを特徴とする機能性履物。
【請求項２】
前記震動手段は、前記ソール部の第１装着室に備えられて、単純な歩行動作の時に発生される衝撃を吸収するとともに、該歩行動作を駆動源として作動する作動部材と；
前記ソール部の第２装着室の側壁に一端が固定され、他端は延長されており、その末端部には磁界を発生する第１磁石が埋設されており、前記作動部材の作動によって震動される震動板と；を含むことを特徴とする請求項１に記載の機能性履物。
【請求項３】
前記作動部材は、前記ソール部の第１装着室に備えられ、移動体の上下運動によって、歩行の時、衝撃を吸収する緩衝装置と；
前記緩衝装置の移動体に一端がヒンジを軸として回転自在に結合され、他端は下向き傾斜して延長される第１アームと；
前記第１アームの他端にヒンジを軸として回転自在に一端が結合され、他端はソール部の連結通路に支持されたまま延長されて、前記震動板の下部に隣接して位置し、前記移動体の上下運動によって前方及び後方に作動する第２アームと；
前記第２アームの他端に埋設されて、前記第２アームの前方及び後方に作動する時、前記震動板を震動させることができるように、前記震動板の第１磁石と斥力が発生する第２磁石と；を含むことを特徴とする請求項２に記載の機能性履物。
【請求項４】
前記ソール部の第２装着室の上面には、震動板が震動する時、震動板がソール部を直接打撃しないように震動板に埋設された磁石に対して斥力を発生する第３磁石がさらに備えられることを特徴とする請求項１または２に記載の機能性履物。
【発明の詳細な説明】
【技術分野】
【０００１】
本発明は機能性履物に関し、より詳しくは、歩行の時、体重による衝撃を吸収して緩和させて、足首と膝関節を保護するとともに、興味を誘発させて楽しく歩くようにし、磁界によって血液の循環を促進させて健康の増進に大きく寄与することができる機能性履物に関する。
【背景技術】
【０００２】
通常、履物は着用者の足の甲部分を保護する甲皮部と、前記甲皮部の下面に附着されて、着用者の足裏部分を保護するソール部とで構成され、前記ソール部はまたクッション力のあるミッドソールと、前記ミッドソールの下面に附着された硬いアウトソールとに分類される。
【０００３】
一方、最近では、このような履物に衝撃吸収機能を添加した機能性履物が多数提案されている。即ち、前記ソール部の踵部の内部にスプリングやエアバッグのような衝撃吸収部材を挿入して、歩行の時、体重による衝撃を吸収して緩和させるように構成した。
【０００４】
前記衝撃緩和履物は製作が容易で、衝撃の吸収力が良く、実際に大部分の履物に適用されている。しかし、このような履物に用いられる衝撃吸収部材、即ち、スプリングとエアバッグは長時間使用すると吸収力が喪失されるという欠点があった。
【０００５】
しかも、最近は、単純に衝撃を緩和する履物だけでなく、健康も向上させることができる多機能性履物が強く要求されている。
【発明の概要】
【発明が解決しようとする課題】
【０００６】
本発明は前記問題点を解決するために案出されたもので、歩行の時、体重による衝撃を吸収して緩和させて、足首と膝関節を保護するとともに、興味を誘発させて楽しく歩くようにし、磁界によって血液の循環を促進させて健康の増進に大きく寄与することができる機能性履物を提供することを目的とする。
【課題を解決するための手段】
【０００７】
前記目的を達するために、本発明によれば、甲皮部とソール部とで構成される機能性履物において、前記ソール部の踵部と中間部には連結通路を通じて連通された第１装着室と第２装着室とがそれぞれ形成され、前記ソール部の第１装着室及び第２装着室には歩行による衝撃を吸収し、同時に、別途に電源を供給しなくても、単純な歩行動作を駆動源として、磁石の斥力によって、震動板が震動及び磁界を発生することができる震動手段を備える。
【０００８】
前記震動手段は前記ソール部の第１装着室に備わって、単純な歩行動作の時に発生される衝撃を吸収し、同時に、該歩行動作を駆動源として作動する作動部材と、前記ソール部の第２装着室の側壁に一端が固定され、他端は延長されており、その末端部には磁界を発生する第１磁石が埋設されて、前記作動部材の作動によって震動される震動板と、を含むことが好ましい。
【０００９】
前記作動部材は前記ソール部の第１装着室に備わって、移動体の上下運動によって、歩行の時に衝撃を吸収する緩衝装置と；前記緩衝装置の移動体に一端が回転自在に結合され、他端は下向き傾斜して延長される第１アームと；前記第１アームの他端にヒンジを軸として回転自在に一端が結合され、他端はソール部の連結通路に支持されたまま延長されて、前記震動板の下部に隣接するように位置し、前記移動体の上下運動によって前方及び後方に作動される第２アームと；前記第２アームの他端に埋設されて、前記第２アームが前方及び後方に作動する時、前記震動板を震動させることができるように、前記震動板の第１磁石と斥力が発生する第２磁石と；を含むことが好ましい。
【００１０】
前記ソール部の第２装着室の上面には、震動板が震動する時、震動板がソール部を直接打撃しないように、震動板に埋設された磁石に対して斥力を発生する第３磁石をさらに含むことが好ましい。
【発明の効果】
【００１１】
本発明の機能性履物によれば、歩行の時、作動部材の緩衝装置が衝撃を吸収して緩和することになり、この吸収緩和作動を利用する第１アーム、第２アーム及び第２磁石によって第１磁石を備えている震動板が斥力によって自動的に震動するので、着用者の興味を誘発させて楽しく歩くようにし、特に、震動板の末端部に備えられた第１磁石で発生される磁界が着用者の足裏の穴を刺激して血液の循環を促進させるので、健康の増進に大きく寄与する效果を図ることができる。
【図面の簡単な説明】
【００１２】
【図１】本発明の好ましい一実施形態に係る機能性履物の一部を断面図示した概略図である。
【図２】本発明の好ましい一実施形態に係る震動手段の斜視図である。
【図３】（ａ）及び（ｂ）は本発明の好ましい一実施形態に係る震動手段の作動図である。
【図４】（ａ）及び（ｂ）は本発明の好ましい一実施形態に係る機能性履物の使用状態図である。
【発明を実施するための形態】
【００１３】
以下、添付された図面を参照にして本発明の機能性履物をより詳しく説明する。
【００１４】
図１は本発明の好ましい一実施形態に係る機能性履物の一部を断面図示した概略図であり、図２は本発明の好ましい一実施形態に係る震動手段の斜視図である。
【００１５】
図１及び図２を参照すれば、本発明の機能性履物１００は、主として甲皮部１１０とソール部１２０とで構成され、前記ソール部１２０の踵部と中間部には、連結通路１２６を通じて連通された第１装着室１２２及び第２装着室１２４がそれぞれ形成されている。前記ソール部１２０の第１装着室１２２及び第２装着室１２４には歩行による衝撃を吸収するとともに、震動及び磁界を発生することができる震動手段１３０が備わっている。
【００１６】
また、前記第１装着室１２２及び第２装着室１２４には、収縮作用が円滑になるように、外部空気が疎通する空気通路１２８を形成することが好ましい。
【００１７】
一方、前記第１装着室１２２及び第２装着室１２４に備えられる前記震動手段１３０は、主として作動部材１３１及び震動板１３８を含み、まず、前記作動部材１３１は前記ソール部１２０の第１装着室１２２に備わっており、単純な歩行動作の時に発生される衝撃を吸収し、同時に該歩行動作を駆動源として前方及び後方に作動して前記震動板１３８を震動させる。
【００１８】
このような作動を行う前記作動部材１３１は、前記ソール部１２０の第１装着室１２２に備わっており、コイルスプリング１３６とともに移動体１３４の上下運動によって、歩行の時に衝撃を吸収するように構成される緩衝装置１３２と；前記緩衝装置１３２の移動体１３４に一端がヒンジｈを軸として回転自在に結合され、他端は下向き傾斜して延長される第１アーム１３７ａと；前記第１アーム１３７ａの他端にヒンジｈを軸として回転自在に一端が結合され、他端はソール部１２０の連結通路１２６に支持されたまま延長されて、前記震動板１３８の下部に隣接して位置する第２アーム１３７ｂ；前記第２アーム１３７ｂの他端に埋設される第２磁石１３７ｃと；を含む。
【００１９】
一方、前記緩衝装置１３２は、コイルスプリング１３６とともに移動体１３４の上下運動によって、歩行の時に衝撃を吸収するように構成されるもので、減衰力の小さい緩衝装置１３２を用いることが好ましい。このような緩衝装置１３２は、ガスタイプとオイルタイプに分類されており、通常、様々な分野に適用されているので、別途の詳述は省略する。
【００２０】
次に、前記震動板１３８は前記ソール部１２０の第２装着室１２４の側壁に一端が固定され、他端は延長されており、末端部には磁界を発生する第１磁石１４０が埋設され、前記震動板１３８は前記作動部材１３１の第２アーム１３７ｂに備えられた第２磁石１３７ｃと斥力が発生して震動される。
【００２１】
しかも、前記ソール部１２０の第２装着室１２４の上面には、震動板１３８が震動する時、震動板１３８が第２装着室１２４の上面を直接打撃しないように、震動板１３８に埋設された第１磁石１４０に対して斥力を発生する第３磁石１５０がさらに備わっている。
【００２２】
以下、上記の通り構成された震動手段１３０の作動についてより詳しく説明する。
【００２３】
図３（ａ）及び図３（ｂ）は、本発明の好ましい一実施形態に係る震動手段の作動図である。
【００２４】
まず、図３（ａ）によると、上述したように、緩衝装置１３２の移動体１３４の一側には、第１アーム１３７ａの一端がヒンジｈを軸に回転自在に結合され、その他端は下向き傾斜して延長しており、第２アーム１３７ｂの一端がヒンジｈを軸として前記第１アーム１３７ａの他端に回転自在に結合され、前記第２アーム１３７ｂの他端は第２磁石１３７ｃが埋設されられたまま所定の長さに延長されている。また、前記第２アーム１３７ｂに埋設された第２磁石１３７ｃの右側の上部には、末端に第１磁石１４０が備わっている震動板１３８が位置して、前記第１磁石１４０の上部には第３磁石１５０が備わっている。
【００２５】
この場合、ここでは図示しないが、前記第２アーム１３７ｂはソール部１２０の連結通路１２６に支持され、前記震動板１３８の一端は第２装着室１２４の側壁に附着され、前記第３磁石１５０は、第２装着室の上面に附着されることに注意しなければならない。
【００２６】
一方、部分拡大図によると、震動板１３８の末端に埋設された第１磁石１４０と前記第１磁石１４０の下部の左側に位置する第２磁石１３７ｃは互いに斥力が発生されるように備えられており、第１磁石１４０とその上部に位置する第３磁石１５０も互いに斥力が発生するように備えられていることが判かる。
【００２７】
図３（ｂ）によると、緩衝装置１３２の移動体１３４の上部を加圧すると、移動体１３４が下向きになり、これに附着されている第１アーム１３７ａがともに下向き移動しながら、第２アーム１３７ｂを矢印方向、即ち、右側に移動させる。その結果、第２アーム１３７ｂの右側への移動によって第２磁石１３７ｃが震動板１３８に埋設された第１磁石１４０に密接すると、第１磁石１４０及び第２磁石１３７ｃが互いに斥力を発生し、これにより震動板１３８の末端が上部に跳ねられて震動する。この場合、前記第１磁石１４０の上部には、第１磁石１４０と斥力が発生する第３磁石１５０がさらに備わっているので、震動板１３８は、第２磁石１３７ｃと第３磁石１５０との間で震動することになる。
【００２８】
もちろん、第３磁石１５０がなくても震動板１３８は第２磁石１３７ｃとの斥力によって第２装着室１２４の内部で震動するが、第３磁石１５０を備えると、より円滑に作動することができる。
【００２９】
図４の（ａ）及び図４（ｂ）は、本発明の好ましい一実施形態に係る機能性履物の使用状態図である。
【００３０】
まず、図４の（ａ）によると、本発明の機能性履物１００を着用者が着用している。この場合、ソール部１２０の第１装着室１２２及び第２装着室１２４には、上述したように、震動手段１３０、即ち、作動部材１３１及び第１磁石１４０が備えられた震動板１３８がそれぞれ備えられている。また、より詳しく説明すると、前記第１装着室１２２に備えられた緩衝装置１３２の移動体１３４の一側には、第１アーム１３７ａの一端が結合されており、第１アーム１３７ａの他端に結合された第２アーム１３７ｂは連結通路１２６に支持されたまま震動板１３８に隣接される。
【００３１】
前記第２アーム１３７ｂの末端部とソール部１２０の第２装着室１２４の上面には、第１磁石１４０に対して斥力が発生するように備えられる第２磁石１３７ｃ及び第３磁石１５０がそれぞれ備えられている。
【００３２】
図４（ｂ）によると、着用者が歩き始めると、体重による衝撃をソール部１２０の踵部に備わった緩衝装置１３２の移動体１３４とコイルスプリング１３６が下向き移動しながら、吸収して緩和させて着用者の足首及び膝関節を保護する。同時に、移動体１３４が下向きに作動する時、これに連結された第１アーム１３７ａが下向き移動しながら、連結通路１２６に支持されている第２アーム１３７ｂを震動板１３８に近づけて移動させる。そうすると、震動板１３８に埋設された第１磁石１４０は接近してくる第２磁石１３７ｃと斥力が発生されて、上部に跳ねられて震動を始める。もちろん、第１磁石１４０の上部には第３磁石１５０が備わっているので、震動板１３８はより円滑に震動されることができ、同時に、第１磁石１４０では震動による磁界が発生して着用者の足裏の（鍼の）ツボを刺激して血液の循環を促進することができる。
【００３３】
従って、本発明の機能性履物１００によれば、歩行の時、作動部材１３１の緩衝装置１３２が衝撃を吸収して緩和し、この吸収緩和作動を利用する第１アーム１３７ａ、第２アーム１３７ｂ及び第２磁石１３７ｃによって、第１磁石１４０に備えられた震動板１３８が斥力によって自動に震動するので、着用者の興味を誘発させて楽しく歩くようにし、特に、震動板１３８の末端に備えられた第１磁石１４０で発生する磁界が着用者の足裏のツボを刺激して、血液の循環を促進させるので、健康の増進に大きく寄与する効果を図ることができる。
【００３４】
上述した内容は後述する発明の特許請求の範囲をよりよく理解することができるように、本発明の特徴及び技術的長所を説明した。本発明の特許請求の範囲を構成する付加的な特徴及び長所は以下で詳述される。開示された本発明の概念及び特定の実施形態は本発明と類似する目的を達するための他の構造の設計や修正の基本として用いられることができることは当業者によって注意されなければならない。
【００３５】
本発明を特定の説明に役立つ実施例を参照して説明したが、実施例によって限定されるものではなく、添付の特許請求の範囲によるものである。本発明の範囲や思想を逸脱しない限度内で置換及び変更することができることが当業者には理解される。
【図１】
2010525918.tif 000003
【図２】
2010525918.tif 000004
【図３】
2010525918.tif 000005
【図４】
2010525918.tif 000006
【国際調査報告】
2010525918.tif 000007
2010525918.tif 000008